(57)【要約】【課題】簡単な構成で、コネクタ類を搭載する部位の水密性を確保することにより、取付対象の電子機器内への水の滲入を防止すること。【解決手段】取付対象の電子機器のキャビネット１の内側に、後部側にジャック２を装入するための装入口３ａを開口し、かつ前部（外部）側にジャック２に接続するプラグｐを挿入するための挿入口３ｂを開口した搭載口３を構成し、搭載口３にジャック２を搭載し、ジャック２中の接片類４から延長する端子部５にリジッドフレキシブル基板６のリジッド部６ａを接合し、搭載口３の装入口３ａを弾性シート７で閉塞し、その閉塞状態を保持板８で固定し、更にリジッドフレキシブル基板６を、そのフレキシブル部６ｂをその弾性シート７に形成した弾力的に閉じているスリット７ａを通じて通過させ、搭載口３外に引き出す。【選択図】  図２
2012059660.tif 000002
【特許請求の範囲】
【請求項１】
取付対象の電子機器のキャビネットの内側に、内部側にコネクタ類の装入口を開口し、外部側に該コネクタ類に接続する対応する他方のコネクタ類の挿入口を開口したコネクタ類用の搭載口を構成し、
前記搭載口に前記装入口を通じて前記コネクタ類を搭載し、
前記コネクタ類中の接片類から延長する端子部に少なくともその一部がフレキシブルかつ扁平な配線材を接合し、
前記搭載口の装入口を弾性シートで閉塞し、
かつ前記配線材を、そのフレキシブルかつ扁平な部位を前記弾性シートに形成した弾力的に閉じるスリット又は該弾性シートと前記装入口の縁部との間を通じて通過させ、前記搭載口外に引き出したコネクタ類の防水取付構造。
【請求項２】
前記装入口を前記搭載口の後部に開口すると共に、該搭載口の内面両側に前後方向に延びるガイド溝を構成し、
前記コネクタ類のハウジングの両側に前記両ガイド溝に前後方向スライド自在に嵌合しうるスライド突条を構成し、
前記コネクタ類を、前記搭載口に、前者のスライド突条を後者のガイド溝に嵌合させて後部の前記装入口からスライド装入した請求項１のコネクタ類の防水取付構造。
【請求項３】
前記装入口を前記搭載口の下部に開口すると共に、該搭載口の前後、両側及び上部の内面形状を、前記コネクタ類の前後、両側及び上部の外面形状に対応させ、
前記コネクタ類を、前記搭載口に、前記下部の装入口から装入した請求項１のコネクタ類の防水取付構造。
【請求項４】
前記装入口の縁部に前記弾性シートを配するための座部を構成した請求項１、２又は３のコネクタ類の防水取付構造。
【請求項５】
前記弾性シートの背後に、該弾性シートを前記座部に配した状態を保持する保持板であって、前記キャビネットに着脱自在に取り付けうる保持板を配した請求項４のコネクタ類の防水取付構造。
【発明の詳細な説明】
【技術分野】
【０００１】
本発明は、使用中、保管中又は携帯中等に雨水、水道水その他の水に接触する可能性のある種々の電子機器に取り付けられ、電気信号等の授受のために使用されるコネクタ類の防水取付構造に関する。
【背景技術】
【０００２】
この種のコネクタ類の防水取付構造には、そのプラグ挿入孔をゴムキャップ等のキャップ類で閉じる構成が知られている。
【０００３】
特許文献１には、その一例が示されており、これは、携帯電話等の電子機器におけるジャックのプラグ挿入口にその口形状に合わせた挿入部を挿入してこれを閉じる防水ゴムの例である。この防水ゴムは、該ジャックと別体に構成されているため、該プラグ挿入口にプラグを挿入している際に紛失しやすいとか、該プラグ挿入口をこれで閉じると、これが該電子機器のケースから突出した状態となり、機器のデザイン上及び小型化への対応上の制約が生じる問題がある。また防水ゴムで閉じていない状態では、水密性は確保されないので、該ジャックを通じて対象の電子機器の内部に水分が滲入する虞がある。
【０００４】
また特許文献２には他の例が示されており、それは、携帯電話装置に構成されたキャップの例である。これは、イヤホンインタフェース部（イヤホンジャック）に付設されたイヤホンキャップと、外部機器との通信を行うためのインターフェース部（コネクタ）に付設されたキャップの例である。いずれのキャップも筐体の該当部位に起伏自在に構成され、伏状態で、それぞれを水密状態に閉じ、起立状態でそれぞれを開くようになっている。これらのキャップは、機器の筐体と一体に構成されているので、これを紛失する虞はないが、該ジャック等にプラグ等を接続する際には、当然、該キャップを起立させて該部位を開く必要があり、その際に該キャップが邪魔になる等の問題がある。また美観にも優れているとは言い難い。機器の外観のデザイン上の制約が生じるものでもある。またこれらのキャップを起立させている状態（開いている状態）では、ジャック等のコネクタの水密性は保持できないので、この場合も、機器の内部に水分が滲入する虞がある。
【０００５】
特許文献３は、イヤホンジャックのプラグ挿入孔部を防水キャップで塞ぐようにした携帯用無線機のイヤホンジャック防水構造に関する例である。防水キャップに関しては、特許文献２とほぼ同様の問題があるが、この文献３では、そのような問題を解決するところに力点があり、それは、イヤホンジャックに滲入した水が漏洩する漏洩箇所を閉塞部材で閉塞することである。すなわち、この携帯無線機のイヤホンジャック防水構造は、プリント基板に実装されたイヤホンジャックのハウジングの開口部のある面部に防水シートを貼り付け、該防水シートの該開口部閉塞部位を除く部分を該ハウジングの隣接する面に折り曲げて貼り付け、かつ前記イヤホンジャックと前記プリント基板との合せ目に全周に亘って接着剤を塗布して該合せ目を閉塞したものである。
【０００６】
従ってこの特許文献３によれば、前記のように、防水キャップの点は、特許文献２と同様であるが、該防水キャップによる閉塞を忘れた場合、或いは、該防水キャップが壊れた場合であっても、またその結果、雨水等が該イヤホンジャックにまで滲入することがあったとしても、その雨水等を機器本体中に滲入させることはないと思われる。防水性能はかなり高いものと思われる。
【０００７】
しかしこの特許文献３の技術によれば、該イヤホンジャックは、その一面がプリント基板に接合し、プラグ挿入孔部の開口する側の面は機器のトップカバーで被覆されるが、その他の４面はもともといずれかで被覆される訳ではない。そしてその４面の内の一面（プラグ挿入孔部の構成してある面と対向する面）には、開口部があり、これに隣接する二つの面にもそれぞれ二つの端子係止孔部が開口してある。従って前記防水シートは、前記開口部のある面のみではなく、二つの端子係止孔部のある隣接する二つの面にも貼り付ける必要がある。請求項４及び実施例で示されるように、防水シートは、ハウジングの開口部のある面に貼り付ける工程を含めて数段階の工程を経て折り曲げながら他の二つの面にも貼り付けてそれらの面の全体を被覆しなければならない。なかなか厄介な構成であるといわざるを得ない。
【先行技術文献】
【特許文献】
【０００８】
【特許文献１】特開平０５−２０５８０９号公報（段落００１５、図１）
【特許文献２】特開２００５−１５１６２９号公報
【特許文献３】特開２０００−２９５１３３号公報
【発明の概要】
【発明が解決しようとする課題】
【０００９】
本発明は、以上の従来技術の問題点を解消し、プラグ挿入孔等の接続孔の開口部側にキャップ類を用いるようなことをせず、簡単な構成で、コネクタ類を搭載する部位の水密性を確保することにより、取付対象の電子機器内への水の滲入を防止し、水の滲入によるその損傷を回避するコネクタ類の防水取付構造を提供することを解決の課題とする。
【課題を解決するための手段】
【００１０】
本発明の１は、取付対象の電子機器のキャビネットの内側に、内部側にコネクタ類の装入口を開口し、外部側に該コネクタ類に接続する対応する他方のコネクタ類の挿入口を開口したコネクタ類用の搭載口を構成し、
前記搭載口に前記装入口を通じて前記コネクタ類を搭載し、
前記コネクタ類中の接片類から延長する端子部に少なくともその一部がフレキシブルかつ扁平な配線材を接合し、
前記搭載口の装入口を弾性シートで閉塞し、
かつ前記配線材を、そのフレキシブルかつ扁平な部位を前記弾性シートに形成した弾力的に閉じるスリット又は該弾性シートと前記装入口の縁部との間を通じて通過させ、前記搭載口外に引き出したコネクタ類の防水取付構造である。
【００１１】
本発明の２は、本発明の１のコネクタ類の防水取付構造において、
前記装入口を前記搭載口の後部に開口すると共に、該搭載口の内面両側に前後方向に延びるガイド溝を構成し、
前記コネクタ類のハウジングの両側に前記両ガイド溝に前後方向スライド自在に嵌合しうるスライド突条を構成し、
前記コネクタ類を、前記搭載口に、前者のスライド突条を後者のガイド溝に嵌合させて後部の前記装入口からスライド装入したものである。
【００１２】
本発明の３は、本発明の１のコネクタ類の防水取付構造において、
前記装入口を前記搭載口の下部に開口すると共に、該搭載口の前後、両側及び上部の内面形状を前記コネクタ類の前後、両側及び上部の外面形状に対応させ、
前記コネクタ類を、前記搭載口に、前記下部の装入口から装入したものである。
【００１３】
本発明の４は、本発明の請求項１、２又は３のコネクタ類の防水取付構造において、
前記装入口の縁部に前記弾性シートを配するための座部を構成したものである。
【００１４】
本発明の５は、本発明の４のコネクタ類の防水取付構造において、
前記弾性シートの背後に、該弾性シートを前記座部に配した状態を保持する保持板であって、前記キャビネットに着脱自在に取り付けうる保持板を配したものである。
【発明の効果】
【００１５】
本発明の１のコネクタ類の防水取付構造によれば、コネクタ類を取り付ける電子機器のキャビネットに内部に装入口を開口した搭載口を構成し、この搭載口に該装入口からコネクタ類を搭載した上で、該装入口を弾性シートで閉塞するものであり、キャビネットの内部に開口する唯一の開口部である装入口が弾性シートで閉塞されるため、極めて簡単に、かつ適切に水密性を確保し得、取付対象の電子機器の内部に水分が滲入することを確実に防止することができる。
【００１６】
コネクタ類の端子部に接合した配線材も該装入口を通じて取付対象の電子機器の内部に引き込まれるが、前記のように、該配線材は少なくともその一部がフレキシブルかつ扁平に構成してあり、該フレキシブルかつ扁平の部位に、前記弾性シートのスリット又は該弾性シートと該装入口の縁部との間を通過させ、取付対象の電子機器の内部に引き出すこととしたものである。
【００１７】
該スリットは、弾性シートに切れ目を入れたもので、外力が加わらない限り、切れ目の両側の面は弾力的に密着状態となる。このスリットに、前記配線材のフレキシブルかつ扁平の部位を通過させると、相互は良好に密着し、水密性を保持することになる。該部位が通過していない部位では、スリットの切れ目の両側の面が密着状態を維持する。また該部位を弾性シートの縁部と装入口の縁部との間を通過させた場合も、弾性シートの縁部と該部位は前者の弾力性により密着し、該部位の通過していない部位では、弾性シートの弾力性により該弾性シートと該装入口との双方の縁部は確実に密着することになる。こうしてこのような部位も水密性を確保し得、コネクタ類のプラグ挿入孔等の接続孔等を通じて搭載口に滲入することのある水分が、更に、取付対象の電子機器の内部に滲入する虞はないものとなる。
【００１８】
また本発明の１のコネクタ類の防水取付構造は、前記のように、極めて簡単な構成であり、それ故、小型化にも資するものである。かつ極めて簡単な構成であるが故にその組立も容易かつスピーディに行い得られるものである。
更に本発明のコネクタ類の防水取付構造によれば、プラグ挿入孔等の接続孔の開口部に関しては、キャビネットの外部に露出させる必要があるが、その必要があるのはそれだけであり、他にはキャビネット外部に露出させたり、突出させたりする必要のあるものはない。そのため、キャビネットの外面側のデザインの自由度は極めて高いものとなる。
【００１９】
本発明の２又は３のコネクタ類の防水取付構造によれば、前記コネクタ類を、搭載口にその後部又は下部から極めて容易に装入することが可能であり、かつそれによって該コネクタ類を該搭載口内に正確に位置決めできるものでもある。
【００２０】
本発明の４のコネクタ類の防水取付構造によれば、前記弾性シートによる前記装入口の水密性の確保がより確実なものとなる。
【００２１】
本発明の５のコネクタ類の防水取付構造によれば、弾性シートの装入口への配置状態が確実に保持され、かつその保持を行う保持板の取り付けも極めて容易に行えるものである。
【図面の簡単な説明】
【００２２】
【図１】(a)は実施の形態１のコネクタ類の防水取付構造の斜め上方から見た一部の分解斜視図、(b)は斜め下から見た一部の分解斜視図。
【図２】(a)は実施の形態１のコネクタ類の防水取付構造のプラグの挿入方向に沿った断面の断面分解斜視図（ジャック及びリジッドフレキシブル基板は断面していない）、(b)は実施の形態１のコネクタ類の防水取付構造の組立状態の断面図（ジャック及びリジッドフレキシブル基板は断面していない）。
【図３】(a)は実施の形態１のコネクタ類の防水取付構造のプラグの挿入方向に直交する断面のキャビネットの断面図、(b)はキャビネットの搭載口にジャックを装入した状態のコネクタ類の防水取付構造のプラグの挿入方向に直交する断面の断面図（ジャックは断面していない）。
【図４】実施の形態１のコネクタ類の防水取付構造のジャック中にプラグを挿入した状態を示した断面図（プラグ、ジャック及びリジッドフレキシブル基板は断面していない）。
【図５】実施の形態１のコネクタ類の防水取付構造の斜め上後方から見た一部の分解斜視図（弾性シート及び保持板は省略）。
【図６】(a)は実施の形態１のジャックの正面図、(b)はジャックの背面図、(c)は平面図、(d)は底面図、(e)は右側面図。
【図７】実施の形態２のコネクタ類の防水取付構造の斜め下方から見た分解斜視図。
【図８】(a)は実施の形態２のコネクタ類の防水取付構造のプラグの挿入方向に沿って断面した断面分解図（ジャックは断面していない）、(b)は実施の形態２のコネクタ類の防水取付構造のプラグの挿入方向に沿って断面した断面図（ジャックは断面していない）。
【図９】(a)は実施の形態２のコネクタ類の防水取付構造の弾性シート及び保持板を取り外した状態の底面図、(b)は実施の形態２のコネクタ類の防水取付構造の底面図。
【図１０】実施の形態２のコネクタ類の防水取付構造のリジッドフレキシブル基板の直上で断面してた断面底面図。
【図１１】実施の形態２のコネクタ類の防水取付構造の弾性シート及び保持板を取り外して斜め上方から見た分解斜視図。
【図１２】実施の形態２のコネクタ類の防水取付構造のプラグの挿入方向に沿って断面し（ジャックは断面していない）、かつこれにプラグを挿入した状態を示した断面説明図。
【図１３】(a)は実施の形態２のコネクタ類の防水取付構造のジャックを示す斜め上方から見た斜視図、(b)は実施の形態２のコネクタ類の防水取付構造のジャックを示す斜め下方から見た斜視図。
【発明を実施するための形態】
【００２３】
発明を実施するための実施の形態１、２を図面を参照しながら詳細に説明する。なお、この実施の形態１、２のコネクタ類の防水取付構造は、コネクタ類としてジャックを例に取って説明する。この実施の形態１、２のコネクタ類の防水取付構造は、従って、ジャックの防水取付構造の説明になるが、他の種のコネクタ類であってもその構成の基本は異ならないことは言うまでもない。
【００２４】
＜実施の形態１＞
このコネクタ類（ジャック）の防水取付構造は、図１及び図２に示すように、基本的に、取付対象の電子機器のキャビネット１の内側に、後部側にジャック（コネクタ類）２を装入するための装入口３ａを開口し、かつ前部（外部）側に該ジャック２に接続するプラグｐを挿入するための挿入口３ｂを開口した搭載口３を構成し、該搭載口３に該ジャック２を搭載し、該ジャック２中の接片類４、４…から延長する端子部５、５…にリジッドフレキシブル基板（配線材）６のリジッド部６ａを接合し、該搭載口３の装入口３ａを弾性シート７で閉塞し、その閉塞状態を保持板８で固定し、更に該リジッドフレキシブル基板６を、そのフレキシブル部（フレキシブルかつ扁平な部位）６ｂを該弾性シート７に形成した弾力的に閉じているスリット７ａを通じて通過させ、該搭載口３外に引き出したものである。
【００２５】
前記取付対象の電子機器は、各種の電子機器、例えば、携帯して使用する種々の電子機器が適用対象となる。屋外では雨水に接触する可能性があり、屋内でも、例えば、飲料用その他の水やジュース類等に接触する可能性があり、そのような水分に接触する可能性のある電子機器に使用するのが有効である。具体的には、携帯電話機等の携帯機器が有効な適用対象である。
【００２６】
前記キャビネット１はジャック２の取付対象である電子機器の外ケースであり、この実施の形態１では、絶縁性のプラスチックで成形するものである。前記ジャック搭載用の搭載口３は、図１(b)、図２(a)、(b)、図３(a)、(b)、図４及び図５に示すように（図中ではキャビネット１はジャック２の搭載口３及びその近傍のみを示している）、該キャビネット１の内側に配した内方に向かって突出する概ね直方体状の突出部１ａの内側に構成した空間である。
【００２７】
前記搭載口３は、更に詳細には、図１(b)、図２(a)、(b)、図３(a)、(b)、図４及び図５に示すように、キャビネット１の内部の上記突出部１ａに構成した空間で、前記のように、前部には、該キャビネット１外に開口するプラグｐの挿入口３ｂを、後部には該キャビネット１内に開口するジャック２の装入口３ａをそれぞれ備える。該挿入口３ｂは、この搭載口３に搭載されるジャック２のプラグ挿入孔９ａに対応する位置関係で配置した、プラグｐの外径を僅かに越える径の円形開口部である。また前記装入口３ａは、ジャック２を前記搭載口３に装入するための開口であり、対応するサイズの横長長方形に開口してある。該装入口３ａの縁部はその四辺を外広がりの傾斜面とし、該部位に外広がり開口の座部１０を構成する。この座部１０は前記弾性シート７の四辺を水密状態に配置するための部位である。
【００２８】
また前記搭載口３は、図２(a)、図３(a)、(b)及び図５に示すように、前記挿入口３ｂから前記装入口３ａ方向に長い縦長の空間であるが、この空間の内面両側に前後方向に延びるガイド溝３ｃ、３ｃを構成する。両ガイド溝３ｃ、３ｃは、同図に示すように、該搭載口３の両側面に下部を除いて内向きに膨出させた部位３ｄ、３ｄに内開きの溝として構成したものであり、該搭載口３に前記ジャック２を後部の装入口３ａから装入する際に、該ジャック２の両側に構成した後述するスライド突条９ｂ、９ｂをスライド自在に嵌合できる位置及びサイズとする。なお、該搭載口３の両側面下部において、上記内向きに膨出させた部位３ｄ、３ｄの下方に位置する溝状の部位は、前記ジャック２を該搭載口３に配置した場合に、該ジャック２の底部９ｃ下に固定したリジッドフレキシブル基板６のリジッド部６ａの両側部が進入配置状態となる進入案内溝３ｅ、３ｅとなる。
【００２９】
前記ジャック２は、図２(a)、(b)、図５及び図６(a)〜(e)に示すように、前上部を除いて概ね直方体状の外観をなす前記ハウジング９と、該ハウジング９に配された接片類４、４…及び該接片類４、４…から延長する端子部５、５…とで構成したものである。
【００３０】
前記ハウジング９は、内部には正面に開口するプラグ挿入孔（接続孔）９ａを備え、外部には、その両側に前後方向に延びるスライド突条９ｂ、９ｂを突出させたものである。該スライド突条９ｂ、９ｂは、前記し、かつ図１(b)及び図３(b)に示すように、前記搭載口３のガイド溝３ｃ、３ｃにスライド自在に嵌合しうるように位置決めし、かつサイズを設定する。
【００３１】
前記プラグ挿入孔９ａは、図６(a)、(c)に示すように、ジャック２のハウジング９の正面側に開口する。このプラグ挿入孔９ａは、該ハウジング９の長さ方向に沿ってその内部に構成した筒状空間であり、これ自体は一般的な構成である。
【００３２】
また該ハウジング９の正面上部は、この実施の形態１では、キャビネット１の外面形状に対応させて、図２(a)、(b)、図４、図５及び図６(e)に示すように、プラグ挿入孔９ａの正面開口部の高さ方向中間付近から後方途中までを斜め上向きの傾斜面に構成してある。
【００３３】
前記接片類４、４…は、ジャック２のプラグ挿入孔９ａに挿入されるプラグｐの対応する電極と接触して電気的な接続を図る一般的な手段であり、この実施の形態１のそれは、ハウジング９のプラグ挿入孔９ａ中にそれぞれその一部が進入状態に配され、該接片類４、４…から端子部５、５…が該ハウジング９の底部９ｃの側方に延長されている。これも概ね一般的な構成である。なお、接片類４、４…は、具体的には、プラグｐのチップ電極に接触するチップ接片、リング電極に接触するリング接片、スリーブ電極に接触するスリーブ接片等からなるものである。前記端子部５、５…は、それらの各々から底部９ｃの側部を通じてその外側方に延長してある。
【００３４】
なお、ジャック２のハウジング９の底部９ｃの両側から突出する端子部５、５…は、図５に示すように、キャビネット１の搭載口３へのジャック２の搭載前の段階で、前記リジッドフレキシブル基板６のリジッド部６ａを該ジャック２の底部９ｃに当接状態とし、該リジッド部６ａのランド６ａ１、６ａ１…に接合固定する。この接合固定は、この実施の形態１では、端子部５、５…とランド６ａ１、６ａ１…とのはんだ付けによって行っている。なお、該リジッド部６ａの上面には予めジャック２の底部９ｃの両側から突出する端子部５、５…に対応させてランド６ａ１、６ａ１…を構成しておく。電子機器内部の必要な部位への電気的接続は該リジッドフレキシブル基板６を通じて行う。
【００３５】
前記リジッドフレキシブル基板６は、図２(a)、(b)、図３(b)、図４及び図５に示すように、剛性の高い板状のリジッド部６ａとフレキシブルな帯状フィルムからなるフレキシブル部６ｂと、該リジッド部６ａに配された銅箔によるランド６ａ１、６ａ１…及びフレキシブル部６ｂに配され、該ランド６ａ１、６ａ１…に接続している対応する数の導体箔とからなる一般的な構成の配線材である。
【００３６】
前記弾性シート７は、図１(a)、(b)、図２(a)、(b)及び図４に示すように、前記搭載口３の後部の装入口３ａのサイズに一致する横長長方形のゴム製の板材であり、四辺は、該装入口３ａの縁部に構成した座部１０に対応する斜面に形成する。すなわち、該弾性シート７の四辺は座部１０側に向かって細くなるテーパ状を形成する斜面とする。その厚みは座部１０の深さ寸法を若干上回る寸法とする。また該弾性シート７には、同図に示すように、そのほぼ中央に横向きの両面密着状態のスリット７ａを形成する。このスリット７ａの横方向の長さは前記リジッドフレキシブル基板６のフレキシブル部６ｂの幅を若干越える寸法とする。このスリット７ａは、この弾性シート７を構成するゴムの弾力性で外力が加わらない限りその両面が密着状態になるものである。
【００３７】
前記保持板８は、図１(a)、(b)、図２(a)、(b)及び図４に示すように、前記搭載口３の装入口３ａに構成した座部１０に配した弾性シート７をその背後（後部側）から抑え、該弾性シート７の座部１０への配置状態を確実に保持し、該弾性シート７と座部１０とによるその間の水密性を確保するものである。該保持板８は、該弾性シート７より縦横共に若干サイズの大きい弾力を有する硬質プラスチック製の板材である。該保持板８の横方向の寸法は、キャビネット１の搭載口３を構成した突出部１ａの両側面間を僅かに越えるそれであり、該保持板８の両側辺から、図１(a)、(b)に示すように、前方に腕８ａ、８ａを伸ばし、その各先端に爪片８ｂ、８ｂを構成し、図２(b)及び図４に示すように、前記弾性シート７を抑えている状態で、該爪片８ｂ、８ｂで、キャビネット１の搭載口３を構成した突出部１ａの両側に形成した係止溝１ｂ、１ｂに係止し、該保持板８による弾性シート７の保持状態を維持できるようにしたものである。また、該保持板８の中央部には、弾性シート７のスリット７ａを通過したリジッドフレキシブル基板６のフレキシブル部６ｂを通過させるための通過孔８ｃを形成しておく。該通過孔８ｃの横幅は、図１(a)、(b)に示すように、該スリット７ａの長さを越え、高さ方向の寸法にも十分余裕のあるものにしてある。
【００３８】
従って、この実施の形態１のコネクタ類（ジャック）の防水取付構造によれば、キャビネット１の搭載口３へのジャック２の搭載は、次のように簡単かつスピーディに行うことができる。
【００３９】
ジャック２は、図５に示すように、そのハウジング９の底部９ｃにリジッドフレキシブル基板６のリジッド部６ａを当接させ、その対応するランド６ａ１、６ａ１…を該底部９ｃの両側部から突出する端子部５、５…の各々に当接させてはんだ付けし、その後、その状態で、キャビネット１の搭載口３に後部の装入口３ａから装入する。
【００４０】
このとき、ジャック２のハウジング９の両側に構成してあるスライド突条９ｂ、９ｂの前端を前記搭載口３の内面両側に構成してあるガイド溝３ｃ、３ｃの後端に対応させ、かつ装入し、そのまま該ジャック２を搭載口３中に押し込む。押し込み可能なところまで押し込めば、図１(b)に示すように、ジャック２の搭載口３への装入操作は完了である。なお、上記のように、ジャック２を、そのハウジング９のスライド突条９ｂ、９ｂをガイド溝３ｃ、３ｃに嵌合させて押し込めば、自ずと、ジャック２の最下部のリジッドフレキシブル基板６のリジッド部６ａの両側部は、搭載口３の最下部両側の進入案内溝３ｅ、３ｅに進入することになる。
【００４１】
この後、図２(b)及び図４に示すように、前記弾性シート７を搭載口３の装入口３ａの縁部に構成した座部１０に配置する。これは、予めジャック２の後部下部から延長するリジッドフレキシブル基板６のフレキシブル部６ｂをそのスリット７ａに通過させておいた上で行う。なお、これは、該フレキシブル部６ｂを該スリット７ａ中に差し込むことで簡単に行うことができる。該スリット７ａの両面と該フレキシブル部６ｂの両面とは良好な密着状態になる。該フレキシブル部６ｂが差し込まれていない部分では、該スリット７ａの両面が相互に密着状態になる。
【００４２】
更にこの後、図２(b)及び図４に示すように、前記保持板８で前記座部１０に配置した弾性シート７をその背後から抑えて保持する。これは、単に該保持板８を、背後から弾性シート７側に近づけ、同図に示すように、圧接状態にし、その両側の爪片８ｂ、８ｂを前記キャビネット１の搭載口３を構成した突出部１ａの両側に形成した係止溝１ｂ、１ｂに係止し、その状態を保持する。この間に、該弾性シート７のスリット７ａを通過しているリジッドフレキシブル基板６のフレキシブル部６ｂは該保持板８の通過孔８ｃを通過させておくものとする。
【００４３】
従ってこの実施の形態１のコネクタ類（ジャック）の防水取付構造によれば、その構成が極めて簡単であり、それ故、小型化に資するものであり、かつ以上に述べたように、その組立も容易かつスピーディに行い得られるものでもある
【００４４】
またこの実施の形態１のコネクタ類（ジャック）の防水取付構造によれば、以上のように、ジャック２は、その全体が搭載口３中に配置され、外部にはキャビネット１の前部の挿入口３ｂを通じてプラグ挿入孔９ａの開口部が露出するのみであり、キャビネット１は自由にデザインをすることが可能である。
【００４５】
また雨水、飲料水その他の生活水等の水分が何らかの事情でキャビネット１の挿入口３ｂを通じて該搭載口３中に滲入することがあり得るが、該搭載口３は、後部の装入口３ａのみが取付対象の電子機器内に開いており、これは、前記のように、弾性シート７で閉塞され、かつその閉塞状態が保持板８によって確保されているため、水密性が十分に保持され、容易にそれらの水分が取付対象の電子機器の内部に滲入することはない。十分な防水性が維持されるものである。
【００４６】
＜実施の形態２＞
このコネクタ類（ジャック）の防水取付構造は、図７、図８(a)、(b)及び図１２に示すように、基本的に、取付対象の電子機器のキャビネット１１の内側に、下部側にジャック（コネクタ類）１２を装入するための装入口１３ａを開口し、かつ前部（外部）側に該ジャック１２に接続するプラグｐを挿入するための挿入口１３ｂを開口した搭載口１３を構成し、該搭載口１３に該ジャック１２を搭載し、該ジャック１２中の接片類１４、１４…から延長した端子部１５、１５…にリジッドフレキシブル基板（配線材）１６のリジッド部１６ａを接合し、該搭載口１３の下部の装入口１３ａを該リジッド部１６ａの下方から弾性シート１７で閉塞し、その閉塞状態を保持板１８で固定し、更に該リジッドフレキシブル基板１６を、そのフレキシブル部（フレキシブルかつ扁平な部位）１６ｂを該弾性シート１７と該装入口１３ａに形成した座部２０との間を介して通過させることで、該搭載口１３外に引き出したものである。
【００４７】
前記取付対象の電子機器は、実施の形態１で説明したものと全く同様である。
【００４８】
前記キャビネット１１はジャック１２の取付対象である電子機器の外ケースであり、この実施の形態２では、実施の形態１のそれと同様に、絶縁性のプラスチックで成形したものである。前記ジャック搭載用の搭載口１３は、図７、図８(a)、(b)、図１０及び図１２に示すように（図中ではキャビネット１１はジャック１２の搭載口１３及びその近傍のみを示している）、該キャビネット１１の内側に配した内方に向かって突出する、前部上部を除いて、ほぼ直方体状の突出部１１ａの内側に構成した空間である。
【００４９】
前記搭載口１３は、更に詳細には、図７、図８(a)、(b)、図１０及び図１２に示すように、キャビネット１１の上記内側の突出部に構成した、前部上部を除いて、ほぼ直方体状の空間であり、前記のように、前部には、該キャビネット１１外に開口する、プラグｐの挿入口１３ｂを、下部には該キャビネット１１内に開口するジャック１２の装入口１３ａを、それぞれ備える。該挿入口１３ｂは、この搭載口１３に搭載されるジャック１２のプラグ挿入孔１９ａに対応する位置関係で配置した、プラグｐの外径を僅かに越える径の円形開口部である。また前記装入口１３ａは、ジャック１２を装入するための開口であり、対応するサイズの縦長長方形に開口してある。
【００５０】
該装入口１３ａの縁部は、図７、図８(a)、(b)及び図１２に示すように、その四辺の外縁部に下方に延びる垂下板２０ａと、その内側で前記弾性シート１７の縁部に接する斜面部２０ｂと、更にその内側の平坦部２０ｃとからなる前記座部２０に構成する。なお、前部及び両側部の辺では平坦部２０ｃは幅狭であり、後部側の辺では広く構成する。斜面部２０ｂの傾斜方向は、該搭載口１３の内側に向かって上昇する上向き傾斜とする。また、該垂下板２０ａは、後部側の辺のそれの中央の一部を除去した除去部２０ｄを有する。その除去部２０ｄの幅は、前記リジッドフレキシブル基板１６のフレキシブル部１６ｂの幅を僅かに越える寸法とする。この座部２０は前記弾性シート１７の四辺を水密状態に配置するための部位である。
【００５１】
また前記搭載口１３は、図７、図８(a)、(b)、図１０及び図１２に示すように、その内部空間は概括的には縦長状であるが、より詳細には、装入するジャック１２の外形にほぼ一致する空間形状に構成する。該搭載口１３は、従って、前部では、上部内面が前方に向かって低くなる斜面形状であり、途中から後方の上部内面は平坦であり、左右側面及び後面はほぼ直立状態の面に構成してあるものである。
【００５２】
前記装入口１３ａは、以上の搭載口１３の最下部の開口部であり、前記座部２０は、前記のように、該装入口１３ａの縁部を広げて構成したものである。
【００５３】
前記ジャック１２は、図７、図８(a)、(b)、図１０、図１２及び図１３(a)、(b)に示すように、前部上部を除いて、概ね直方体状の外観をなす前記ハウジング１９と、該ハウジング１９に配された接片類１４、１４…及び該接片類１４、１４…から延長する端子部１５、１５…とで構成したものである。
【００５４】
前記ハウジング１９は、内部には正面に開口するプラグ挿入孔（接続孔）１９ａを備えたものであり、外観的に更に詳細には、前記ハウジング１９の正面上部は、この実施の形態２では、キャビネット１１の外面形状に対応させて、図７、図８(a)、(b)、図１２及び図１３(a)、(b)に示すように、プラグ挿入孔１９ａの正面開口部の高さ方向中間付近から後方に向かう途中までを斜め上向きの傾斜面に構成してある。それより後方の上面は平坦であり、左右両面及び後面は直立状態の面である。
【００５５】
前記プラグ挿入孔１９ａは、図１３(a)、(c)に示すように、ジャック１２のハウジング１９の正面に開口する。このプラグ挿入孔１９ａは、該ハウジング１９の長さ方向に沿ってその内部に構成したほぼ筒状の空間であり、これ自体は一般的な構成である。
【００５６】
前記接片類１４、１４…は、ジャック１２のプラグ挿入孔１９ａに挿入されたプラグｐの対応する電極と接触して電気的な接続を図る一般的な手段であり、この実施の形態２のそれは、実施の形態１のそれと同様に、ハウジング１９のプラグ挿入孔１９ａ中にそれぞれその一部が進入状態に配され、該接片類１４、１４…から端子部１５、１５…が該ハウジング１９の底部１９ｂの両側方に延長されている。これも概ね一般的な構成である。なお、接片類１４、１４…は、具体的には、プラグｐのチップ電極に接触するチップ接片、リング電極に接触するリング接片、スリーブ電極に接触するスリーブ接片等からなるものである。前記端子部１５、１５…は、それらの各々から底部１９ｂの両側部を通じてその外側方に延長しているものである。
【００５７】
なお、ジャック１２のハウジング１９の底部１９ｂの両側から突出する端子部１５、１５…は、図７に示すように、キャビネット１１の搭載口１３へのジャック１２の搭載前の段階で、前記リジッドフレキシブル基板１６のリジッド部１６ａを該ジャック１２の底部１９ｂに当接状態とし、該リジッド部１６ａのランドに接合固定する。この接合固定は、この実施の形態２では、実施の形態１と同様に、端子部１５、１５…とランドとのはんだ付けによって行っている。なお、該リジッド部１６ａの上面には予めジャック１２の底部１９ｂの両側から突出する端子部１５、１５…に対応させてランドを構成しておく。電子機器内部の必要な部位への電気的接続は該リジッドフレキシブル基板１６を通じて行う。
【００５８】
前記リジッドフレキシブル基板１６の基本的な構成は、実施の形態１のそれと同様である。
【００５９】
前記弾性シート１７は、図７、図８(a)、(b)、図１１及び図１２に示すように、前記搭載口１３の下部の装入口１３ａにおける座部２０の垂下板２０ａの内面に沿った縦横のサイズに一致する縦長長方形のゴム製の板材であり、その四辺には、該座部２０の斜面部２０ｂに対応する面取り状の斜面１７ａが形成しておく。該弾性シート１７の斜面１７ａ部分を除く厚さは、該座部２０の垂下板２０ａの高さ寸法を若干越えるものとする。
【００６０】
前記保持板１８は、図７、図８(a)、(b)、図９(b)、図１１及び図１２に示すように、前記搭載口１３の装入口１３ａに構成した座部２０に配した弾性シート１７をその背後、すなわち下部側から抑え、該弾性シート１７の座部２０への配置を確実に保持し、該弾性シート１７と座部２０とによるその間の水密性を確保するものである。該保持板１８は、該弾性シート１７より縦方向は殆ど同一で、横方向には若干サイズの大きい弾力を有する硬質プラスチック製の板材である。すなわち該保持板１８の横方向の寸法は、キャビネット１１の搭載口１３を構成した突出部１１ａの両側面間を僅かに越えるそれであり、該保持板１８の両側辺から、図７及び図１１に示すように、前方に腕１８ａ、１８ａを伸ばし、その各先端に爪片１８ｂ、１８ｂを構成し、図８(b)、図９(b)及び図１２に示すように、前記弾性シート１７を抑えている状態で、該爪片１８ｂ、１８ｂで、キャビネット１１の搭載口１３を構成した突出部１１ａの両側に形成した係止溝１１ｂ、１１ｂに係止し、該保持板１８による弾性シート１７の保持状態を確保し、かつ維持できるようにしたものである。
【００６１】
従って、この実施の形態２のコネクタ類（ジャック）の防水取付構造によれば、キャビネット１１の搭載口１３へのジャック１２の搭載は、次のように非常に簡単かつスピーディに行うことができる。
【００６２】
ジャック１２は、図７に示すように、そのハウジング１９の底部１９ｂにリジッドフレキシブル基板１６のリジッド部１６ａを当接させ、その対応するランドを該底部１９ｂの両側部から突出する端子部１５、１５…の各々に当接させてはんだ付けし、その後、その状態で、キャビネット１１の搭載口１３に下部の装入口１３ａから装入する。
【００６３】
この装入は、単にジャック１２のハウジング１９の前後面及び両側面を装入口１３ａに対応させて押し込み操作を行えば、スムーズに行われ、押し込み可能なところまで押し込めば、図８(b)及び図１２に示すように、該ジャック１２の搭載口１３への装入操作は完了する。なお、このようにジャック１２を搭載口１３に装入すると、該ジャック１２のハウジング１９の底部１９ｂに固定したリジッドフレキシブル基板１６のフレキシブル部１６ｂは、自ずと、前記座部２０の後部側の平坦部２０ｃ下及び垂下板２０ａの除去された除去部２０ｄを通じて該搭載口１３の下部後方に延長状態になる。
【００６４】
この後、図８(b)及び図１２に示すように、前記弾性シート１７を搭載口１３の装入口１３ａの縁部に構成した座部２０に配置する。こうして装入口１３ａは、該弾性シート１７により閉塞された状態になる。同時に、前記リジッドフレキシブル基板１６のフレキシブル部１６ｂは、該弾性シート１７と座部２０の平坦部２０ｃとにより密着挟持状態となる。弾性シート１７の弾力性により、確実に水密性高く挟持されることになる。
【００６５】
更にこの後、図８(b)、図９(b)及び図１２に示すように、前記保持板１８で前記座部２０に配置した弾性シート１７をその背後から抑えて保持する。これは、単に該保持板１８を、背後から、すなわち、下方から該弾性シート１７側に近づけ、同図に示すように、圧接状態にし、その両側の爪片１８ｂ、１８ｂを前記キャビネット１１の搭載口１３を構成した突出部１１ａの両側に形成した係止溝１１ｂ、１１ｂに係止し、その状態を保持するものである。
【００６６】
従ってこの実施の形態２のコネクタ類（ジャック）の防水取付構造によれば、それ自体極めて簡単な構成であり、それ故、小型化に資するものであり、かつ以上に述べたように、その組立も容易かつスピーディに行い得られるものである
【００６７】
またこの実施の形態２のコネクタ類（ジャック）の防水取付構造によれば、以上のように、ジャック１２は、その全体が搭載口１３中に配置され、外部にはキャビネット１１の前部の挿入口１３ｂを通じてプラグ挿入孔１９ａの開口部が露出するのみであり、キャビネット１１のデザインには極めて高い自由度を有する。
【００６８】
また雨水、飲料水その他の生活水等の水分が何らかの事情でキャビネット１１の挿入口１３ｂを通じて搭載口１３中に滲入することがあり得るが、該搭載口１３は、下部の装入口１３ａのみが取付対象の電子機器内に開いており、これは、前記のように、弾性シート１７で閉塞され、かつその閉塞状態が保持板１８によって確保されているため、水密性が十分に確保され、容易にそれらの水分が取付対象の電子機器の内部に滲入するようなことはない。十分な防水性が維持されるものである。
【符号の説明】
【００６９】
ｐ    プラグ
１    キャビネット
１ａ  突出部
１ｂ  係止溝
２    ジャック（コネクタ類）
３    搭載口
３ａ  装入口
３ｂ  挿入口
３ｃ  ガイド溝
３ｄ  内向きに膨出させた部位
３ｅ  進入案内溝
４    接片類
５    端子部
６    リジッドフレキシブル基板（配線材）
６ａ  リジッド部
６ａ１  ランド
６ｂ  フレキシブル部（フレキシブルかつ扁平な部位）
７    弾性シート
７ａ  スリット
８    保持板
８ａ  腕
８ｂ  爪片
８ｃ  通過孔
９    ハウジング
９ａ  プラグ挿入孔
９ｂ  スライド突条
９ｃ  底部
１０  座部
１１  キャビネット
１１ａ  突出部
１１ｂ  係止溝
１２  ジャック（コネクタ類）
１３  搭載口
１３ａ  装入口
１３ｂ  挿入口
１４  接片類
１５  端子部
１６  リジッドフレキシブル基板（配線材）
１６ａ  リジッド部
１６ｂ  フレキシブル部（フレキシブルかつ扁平な部位）
１７  弾性シート
１７ａ  斜面
１８  保持板
１８ａ  腕
１８ｂ  爪片
１９  ハウジング
１９ａ  プラグ挿入孔
１９ｂ  底部
２０  座部
２０ａ  垂下板
２０ｂ  斜面部
２０ｃ  平坦部
２０ｄ  除去部
【図１】
2012059660.tif 000003
【図２】
2012059660.tif 000004
【図３】
2012059660.tif 000005
【図４】
2012059660.tif 000006
【図５】
2012059660.tif 000007
【図６】
2012059660.tif 000008
【図７】
2012059660.tif 000009
【図８】
2012059660.tif 000010
【図９】
2012059660.tif 000011
【図１０】
2012059660.tif 000012
【図１１】
2012059660.tif 000013
【図１２】
2012059660.tif 000014
【図１３】
2012059660.tif 000015